(57)【要約】【課題】ＰＷＭ調光時における音鳴りを防止できるＬＥＤ駆動装置を提供する。【解決手段】入力電圧を所定の電圧に増幅する昇圧回路と、調光信号に対応して昇圧回路を動作あるいは停止させるスイッチ制御回路１１と、昇圧された電圧が過電圧のときは昇圧回路の動作を停止する過電圧保護回路１３と、昇圧された電圧をＬＥＤに供給するアノードラインと基準電圧供給ラインとに接続されるモニタ信号取出しライン５と、モニタ信号取出しラインに設けられて、調光信号に対応してモニタ信号取出しラインとアノードラインとの接続を断続する音鳴り防止スイッチ２と、を有し、音鳴り防止スイッチは、昇圧回路が動作中のときは、モニタ信号取出しラインとアノードラインとの接続を継続し、昇圧回路が動作中でないときは、モニタ信号取出しラインとアノードラインとの接続を開放するＬＥＤ駆動装置である。【選択図】図１
2016129098.tif 000002
【特許請求の範囲】
【請求項１】
入力電圧を増幅してＬＥＤに供給するＬＥＤ駆動装置において、
前記ＬＥＤに流れる電流を所定の値に制御することにより前記入力電圧を所定の電圧に増幅する昇圧回路と、
２値の矩形波信号である調光信号に対応して前記昇圧回路を動作あるいは停止させるスイッチ制御回路と、
昇圧された電圧が過電圧のときは前記昇圧回路の動作を停止する過電圧保護回路と、
昇圧された電圧を前記ＬＥＤに供給するアノードラインと基準電圧供給ラインとに接続されるモニタ信号取出しラインと、
前記モニタ信号取出しラインに設けられて、昇圧された電圧の分圧を前記過電圧保護回路に入力するモニタ電圧として取り出す抵抗分割回路と、
前記モニタ信号取出しラインに設けられて、前記調光信号に対応して前記モニタ信号取出しラインと前記アノードラインとの接続を断続する音鳴り防止スイッチと、を有し、
前記音鳴り防止スイッチは、前記調光信号に対応して、
前記昇圧回路が動作中のときは、前記モニタ信号取出しラインと前記アノードラインとの接続を継続し、
前記昇圧回路が動作中でないときは、前記モニタ信号取出しラインと前記アノードラインとの接続を開放する
ＬＥＤ駆動装置。
【請求項２】
前記音鳴り防止スイッチは、前記モニタ信号取出しラインの前記抵抗分割回路よりも前記アノードライン側に設けられる、請求項１に記載のＬＥＤ駆動装置。
【請求項３】
前記音鳴り防止スイッチは、前記調光信号のレベルを増幅するレベルシフタと、前記レベルシフタの出力信号をゲート端子で受けて前記モニタ信号取出しラインを断続するＰチャネルＦＥＴの第２スイッチを有する、請求項２に記載のＬＥＤ駆動装置。
【請求項４】
前記レベルシフタは、
一端が前記アノードラインに接続し、他端が前記第２スイッチのゲート端子に接続する抵抗と、
ドレイン端子が前記抵抗の前記他端に接続し、ソース端子が基準電圧供給ラインに接続し、ゲート端子に前記調光信号が入力されるＮチャネルＦＥＴの第３スイッチと、
を有する、請求項３に記載のＬＥＤ駆動装置。
【請求項５】
前記レベルシフタは、
ゲート端子とドレイン端子とを互いにたすき掛けにして接続されたＰチャネルＦＥＴの第３スイッチ及び第５スイッチと、
ソース端子を基準電圧供給ラインに接続し、ドレイン端子を前記第３スイッチのドレイン端子に接続したＮチャネルＦＥＴの第４スイッチと、
ソース端子を基準電圧供給ラインに接続し、ドレイン端子を前記第５スイッチのドレイン端子に接続したＮチャネルＦＥＴの第６スイッチと、
を有し、
前記第４スイッチのゲート端子には前記調光信号を反転した信号が入力され、
前記第６スイッチのゲート端子には前記調光信号が入力され、
前記第３及び第５スイッチのソース端子は、前記アノードラインに接続し、
前記第６スイッチのドレイン端子は、前記第２スイッチのゲート端子に接続する、
請求項３に記載のＬＥＤ駆動装置。
【請求項６】
前記音鳴り防止スイッチは、前記抵抗分割回路内の前記モニタ信号と同レベルの電圧信号を与える位置であって、前記モニタ信号を取り出す位置よりも前記アノードライン側の位置に設けられる、請求項１に記載のＬＥＤ駆動装置。
【請求項７】
前記音鳴り防止スイッチは、前記調光信号をゲート端子で受けて前記モニタ信号取出しラインを断続するＮチャネルＦＥＴスイッチを有する、請求項６に記載のＬＥＤ駆動装置。
【請求項８】
前記ＬＥＤ駆動装置は、ＬＥＤドライバーＩＣと当該ＬＥＤドライバーＩＣの外部に設けられた回路とを有し、
前記ＬＥＤドライバーＩＣは、前記スイッチ制御回路、前記昇圧スイッチ、前記過電圧保護回路、及び前記音鳴り防止スイッチを内蔵する、請求項２又は６に記載のＬＥＤ駆動装置。
【請求項９】
前記ＬＥＤドライバーＩＣは、前記抵抗分割回路を更に内蔵する、請求項８に記載のＬＥＤ駆動装置。
【請求項１０】
前記ＬＥＤドライバーＩＣに含まれる前記音鳴り防止スイッチは、高耐圧プロセスで作製される、請求項８に記載のＬＥＤ駆動装置。
【発明の詳細な説明】
【技術分野】
【０００１】
本発明の実施形態は、ＬＥＤ駆動装置に関する。
【背景技術】
【０００２】
近年、ＬＥＤ（Light Emitting Diode）は、低消費電力、長寿命などの特長から、従来の電球の代替用途に限られず、例えば、液晶表示装置、車載用機器、照明器具など幅広い対象に用いられるようになっている。
【０００３】
ＬＥＤ駆動装置は、ＬＥＤの点灯、消灯を制御するための回路である。ＬＥＤ駆動方式として、直列に接続された複数のＬＥＤの点灯、消灯を制御するために昇圧チョッパ回路を用いてＰＷＭ（Pulse Width Modulation）調光を行う方式が知られている。
【先行技術文献】
【特許文献】
【０００４】
【特許文献１】特開２０１２−１０４３６７号公報
【発明の概要】
【発明が解決しようとする課題】
【０００５】
ところで、上述のＬＥＤ駆動装置を用いてＰＷＭ調光を行った際、音鳴りが発生する場合があった。
【０００６】
本発明は、ＰＷＭ調光時における音鳴りを防止することのできるＬＥＤ駆動装置を提供することを目的とする。
【課題を解決するための手段】
【０００７】
一実施形態に係るＬＥＤ駆動装置は、入力電圧を増幅してＬＥＤに供給するＬＥＤ駆動装置において、前記ＬＥＤに流れる電流を所定の値に制御することにより前記入力電圧を所定の電圧に増幅する昇圧回路と、２値の矩形波信号である調光信号に対応して前記昇圧回路を動作あるいは停止させるスイッチ制御回路と、昇圧された電圧が過電圧のときは前記昇圧回路の動作を停止する過電圧保護回路と、昇圧された電圧を前記ＬＥＤに供給するアノードラインと基準電圧供給ラインとに接続されるモニタ信号取出しラインと、前記モニタ信号取出しラインに設けられて、昇圧された電圧の分圧を前記過電圧保護回路に入力するモニタ電圧として取り出す抵抗分割回路と、前記モニタ信号取出しラインに設けられて、前記調光信号に対応して前記モニタ信号取出しラインと前記アノードラインとの接続を断続する音鳴り防止スイッチと、を有し、前記音鳴り防止スイッチは、前記調光信号に対応して、
前記昇圧回路が動作中のときは、前記モニタ信号取出しラインと前記アノードラインとの接続を継続し、前記昇圧回路が動作中でないときは、前記モニタ信号取出しラインと前記アノードラインとの接続を開放するＬＥＤ駆動装置である。
【図面の簡単な説明】
【０００８】
【図１】第１の実施の形態のＬＥＤ駆動装置の構成をＬＥＤと共に示す図である。
【図２】本実施の形態のＬＥＤ駆動装置において音鳴り防止を図ることができる理由を説明するための図である。
【図３】本実施の形態のＬＥＤ駆動装置において音鳴り防止スイッチが設けられていない場合のアノードラインの電圧波形を示す図である。
【図４】第１の実施の形態のＬＥＤ駆動装置における調光信号がオンレベルのときの音鳴り防止スイッチの動作を説明するための図である。
【図５】第１の実施の形態のＬＥＤ駆動装置における調光信号がオフレベルのときの音鳴り防止スイッチの動作を説明するための図である。
【図６】第１の実施形態のＬＥＤ駆動装置のバリエーションの形態をＬＥＤと共に示す図である。
【図７】第１の実施形態のＬＥＤ駆動装置の他のバリエーションの形態をＬＥＤと共に示す図である。
【図８】第２の実施の形態のＬＥＤ駆動装置の構成をＬＥＤとともに示す図である。
【図９】第２の実施の形態のＬＥＤ駆動装置における調光信号がオンレベルのときの音鳴り防止スイッチの動作を説明するための図である。
【図１０】第２の実施の形態のＬＥＤ駆動装置における調光信号がオフレベルのときの音鳴り防止スイッチの動作を説明するための図である。
【図１１】第２の実施形態のＬＥＤ駆動装置のバリエーションの形態をＬＥＤとともに示す図である。
【図１２】第２の実施形態のＬＥＤ駆動装置の他のバリエーションの形態をＬＥＤとともに示す図である。
【図１３】第３の実施の形態のＬＥＤ駆動装置の構成をＬＥＤと共に示す図である。
【図１４Ａ】第３の実施の形態のＬＥＤ駆動装置のモニタ信号取出しライン上の電圧分布の一例を示す図である。
【図１４Ｂ】第３の実施の形態のＬＥＤ駆動装置のモニタ信号取出しライン上の負荷抵抗とＮｃｈ−ＦＥＴの負荷曲線特性の一例を示す図である。
【図１５】第３の実施形態のＬＥＤ駆動装置のバリエーションの形態をＬＥＤとともに示す図である。
【図１６】第３の実施形態のＬＥＤ駆動装置の他のバリエーションの形態をＬＥＤとともに示す図である。
【発明を実施するための形態】
【０００９】
以下に、本発明の各実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
[第１の実施の形態]  
図１は、第１の実施の形態のＬＥＤ駆動装置の構成をＬＥＤと共に示す図である。図１に示すＬＥＤ駆動装置１は、ＬＥＤを駆動するための回路の一部をＩＣ化したＬＥＤドライバーＩＣ１０を用いて構成されている。但し、本発明に係るＬＥＤ駆動装置は、ＩＣ化をせずに構成されていても良い。
【００１１】
入力電圧ＶＩＮは、ヒューズＦ１、平滑コンデンサＣ１を通してコイルＬ１に入力される。コイルＬ１の出力端はダイオードＤ１と接続し、更にコイルＬ１の出力端はＬＥＤドライバーＩＣ１０の端子ＬＸを通じて昇圧スイッチＱ１に接続されている。そして、ダイオードＤ１の出力は、出力コンデンサＣ２を通してアノードラインに入力される。ここで、入力電圧ＶＩＮは、車載用途であれば１２Ｖ程度であり、モバイル機器であれば５〜６Ｖである。
【００１２】
アノードラインとグラウンド（基準電圧供給ライン）とを接続するモニタ信号取出しライン５が設けられている。モニタ信号取出しライン５には、アノードライン側から、音鳴り防止スイッチ２、抵抗Ｒ１、抵抗Ｒ２がこの順序で直列に設けられてグラウンドに接続している。抵抗Ｒ１と抵抗Ｒ２とは抵抗分割回路を構成しており、抵抗Ｒ１と抵抗Ｒ２との中間電圧がモニター電圧としてＬＥＤドライバーＩＣ１０の端子ＯＶＰを通じてコンパレータ１４に接続されている。
【００１３】
音鳴り防止スイッチ２は、ＰチャネルＦＥＴのスイッチＱ２、ＮチャネルＦＥＴのスイッチＱ３、及び抵抗Ｒ３を備えている。スイッチＱ２のソース端子はアノードラインに接続し、ドレイン端子は抵抗Ｒ１の一端に接続している。抵抗Ｒ３の一端はスイッチＱ２のソース端子と接続し、他端はスイッチＱ２のゲート端子と接続している。スイッチＱ３のドレイン端子はスイッチＱ２のゲート端子と接続し、スイッチＱ３のソース端子はアースラインに接続している。また、スイッチＱ３のゲート端子には、後述する調光信号が入力される。ここで、スイッチＱ３及び抵抗Ｒ３はレベルシフタ３を構成する。
【００１４】
アノードラインには、直列に接続された複数のＬＥＤが複数列（ここでは２列）設けられている。直列に接続された複数のＬＥＤの陽極はアノードラインと接続し、直列に接続された複数のＬＥＤの陰極はＬＥＤドライバーＩＣ１０の端子ＬＥＤ１、ＬＥＤ２を通じてＬＥＤ電流制御回路１２に接続されている。
【００１５】
ＬＥＤドライバーＩＣ１０は、スイッチ制御回路１１、ＬＥＤ電流制御回路１２、過電圧保護回路１３、コンパレータ１４、及び昇圧スイッチＱ１を備えている。スイッチ制御回路１１は、端子ＰＷＭを介して受信した調光信号に基づいて昇圧スイッチＱ１の断続を制御する。ＬＥＤ電流制御回路１２は、端子ＬＥＤ１、ＬＥＤ２を介して受信したＬＥＤ電流が所定の電流値になるようにスイッチ制御回路１１に制御信号を出力することでアノードラインを所定の昇圧電圧になるように制御する。コンパレータ１４は、端子ＯＶＰを介して入力したモニター電圧と規格値Ｖｏｖｐとを比較する。過電圧保護回路１３は、モニター電圧が規格値Ｖｏｖｐよりも大きくなったときにスイッチ制御回路１１に動作停止信号を出力する。
【００１６】
なお、図１に示す、コイルＬ１、昇圧スイッチＱ１、ダイオードＤ１、及び出力コンデンサＣ２が昇圧チョッパ回路を構成している。
【００１７】
続いて第１の実施の形態のＬＥＤ駆動装置の動作について説明する。
【００１８】
調光信号は、オンレベル（ここでは、３．３Ｖ）とオフレベル（ここでは、０Ｖ）の２値の信号が繰り返される矩形波信号である。調光信号の繰り返し周波数は、一般的には１００Ｈｚ〜２ｋＨｚ程度である。調光信号がオンレベル（３．３Ｖ）の時は、スイッチ制御回路１１は、昇圧スイッチＱ１のゲート端子にスイッチング周波数の駆動信号を出力する。スイッチング周波数は一般的に５００ｋＨｚ〜２ＭＨｚ程度である。
【００１９】
調光信号がオンレベル（３．３Ｖ）の時は、昇圧スイッチＱ１は、スイッチング周波数に従ってオン／オフを繰り返す。昇圧スイッチＱ１がオンのときは、コイルＬ１に電流が流れてエネルギーが充電される。昇圧スイッチＱ１がオフになると、コイルＬ１に蓄えられたエネルギーがダイオードＤ１を通して出力コンデンサＣ２が充電される。このように昇圧スイッチＱ１がオン／オフを繰り返すたびにコイルＬ１に蓄えられたエネルギーが、ダイオードＤ１を通して出力コンデンサＣ２に充電され、出力コンデンサＣ２は入力電圧ＶＩＮより高い電圧に充電される。
【００２０】
出力コンデンサＣ２にはＬＥＤのアノードが接続されているため、出力コンデンサＣ２の電圧（アノードラインの電圧）が直列に接続されたＬＥＤのしきい値電圧より高くなると、ＬＥＤに電流が流れてＬＥＤが発光する。一般的にＬＥＤのしきい値は３Ｖ程度であるため、例えば１０直ＬＥＤ（直列に接続された１０個のＬＥＤ）がＬＥＤ駆動装置１に接続されている場合、出力コンデンサＣ２のアノードラインの電圧が３０Ｖ程度になると１０直のＬＥＤは発光する。直列に接続されたＬＥＤ群が複数列並列に接続されている場合であっても、アノードラインの電圧が３０Ｖ程度で全てのＬＥＤは発光する。
【００２１】
ＬＥＤに流れる電流は、ＬＥＤドライバーＩＣ１０のＬＥＤ電流制御回路１２に入力される。ＬＥＤ電流制御回路１２は、ＬＥＤに流れる電流があらかじめ設定された電流値になるように、スイッチ制御回路１１の駆動信号の出力・停止を制御する。これによって、昇圧スイッチＱ１がコントロールされ、ＬＥＤには常に一定の電流が流れるため、ＬＥＤは一定の明るさで発光する。
【００２２】
ところで、上述のように、ＬＥＤドライバーＩＣ１０はスイッチング動作により入力電圧ＶＩＮよりも高い電圧を生成するため、誤動作によるＬＥＤ駆動装置１の発熱・発煙・発火などの事故を防止する必要がある。そのため、ＬＥＤドライバーＩＣ１０には過電圧保護回路１３が備えられている。
【００２３】
調光信号がオンレベル（３．３Ｖ）の時は、音鳴り防止スイッチ２のレベルシフタ３のスイッチＱ３のゲート端子にオンレベルの電位が印加されるため、スイッチＱ３はオン状態（ソース端子とドレイン端子間が導通状態）となる。従って、スイッチＱ２のゲート端子にはＧＮＤ（グラウンド）電位が印加されるため、スイッチＱ２はオン状態となる。この結果、アノードラインの電圧は、Ｒ１とＲ２による抵抗分割回路によって分圧され、Ｒ１，Ｒ２の中間電圧がモニター電圧として取り出される。
【００２４】
モニター電圧はＬＥＤドライバーＩＣ１０の端子ＯＶＰを介してコンパレータ１４に入力される。コンパレータ１４はモニター電圧を規格値Ｖｏｖｐと比較する。モニター電圧が規格値Ｖｏｖｐよりも大きくなると過電圧保護回路１３がスイッチ制御回路１１を制御して、昇圧スイッチＱ１のスイッチング動作を停止する。
【００２５】
過電圧保護回路が動作するアノードラインの電圧Ｖａは、Ｖａ＝（１＋Ｒ１／Ｒ２）＊Ｖｏｖｐで計算される。例えば、Ｒ１＝９００ｋΩ、Ｒ２＝３０ｋΩ、Ｖｏｖｐ＝１．２Ｖの場合、過電圧保護回路が動作するアノードラインの電圧Ｖａは、Ｖａ＝３７．２Ｖとなる。ＬＥＤのしきい値の最大値は３．５Ｖ程度なので１０直列ＬＥＤでもアノードラインの電圧は最大３５Ｖ程度にしかならないので、３７．２Ｖで過電圧保護回路が動作するなら問題ない電圧となる。なお、規格値Ｖｏｖｐは、１〜２Ｖ程度とすることがのぞましい。これはＬＥＤドライバーＩＣ１０では、規格値Ｖｏｖｐをバンドギャップ電圧で容易に生成できるからである。
【００２６】
一方、調光信号がオフ（０Ｖ）の時は、ＬＥＤ電流制御回路１２がＬＥＤ電流を強制的に遮断する。これによってＬＥＤは消灯する。このように調光信号のオン・オフに合わせて、ＬＥＤを点灯・消灯させることによりＬＥＤの発光強度を変化させＬＥＤの明るさを調整している。
【００２７】
調光信号がオフ（０Ｖ）の時、ＬＥＤ電流が強制的に遮断されると共に、スイッチ制御回路１１は昇圧スイッチＱ１を強制的にオフ状態（ソース端子とドレイン端子間が非導通状態）にして、昇圧動作を停止させている。
【００２８】
調光信号がオフ（０Ｖ）の時は、音鳴り防止スイッチ２のレベルシフタ３のスイッチＱ３のゲート端子にオフレベルの電位が印加されるため、スイッチＱ３はオフ状態（ソース端子とドレイン端子間が非導通状態）となる。従って、スイッチＱ２のゲート端子にはアノードラインの電位が印加されるため、スイッチＱ２はオフ状態となる。スイッチＱ２がオフ状態となっても、コンパレータ１４には端子ＯＶＰを介してＧＮＤ電位が印加されるため、過電圧保護回路１３の動作には悪影響は生じない。
【００２９】
次に、音鳴り防止スイッチ２によって音鳴り防止を図ることのできる理由について説明する。
【００３０】
図２は、本実施の形態のＬＥＤ駆動装置において音鳴り防止を図ることができる理由を説明するための図である。図２では図１に示す音鳴り防止スイッチ２が設けられていないが、その他の部位は図１と同じである。
アノードラインには、前述したように過電圧保護用のモニター電圧を生成するための抵抗Ｒ１，Ｒ２が接続されているため、調光信号がオフとなって、昇圧動作が停止すると抵抗Ｒ１，Ｒ２を介して漏れ電流がＧＮＤに放電されて、アノードラインの電圧が降下する。調光信号がオンレベルになると昇圧動作が再開されるため、アノードラインの電圧は再び設定されたＬＥＤ電流になるまで回復する。以上の動作が調光信号のオン／オフに合わせて繰り返される。
【００３１】
ところで、抵抗Ｒ１，Ｒ２を極力大きくすることで、アノードラインの電圧降下をできるだけ低減することが可能である。しかし、抵抗Ｒ１、Ｒ２をあまりに大きくするとＬＥＤドライバーＩＣ１０のコンパレータ１４に用いられるオペアンプ（Operational Amplifier）の入力インピーダンスの影響により、コンパレータ１４のオフセット電圧の増大や追従性の低下等により誤動作を起こす可能性が考えられる。過電圧保護回路１３が誤動作することを防止するためには、抵抗Ｒ１、Ｒ２は１ＭΩ以下であることが望ましいが、それでは漏れ電流を十分押さえることはできず電圧降下により音鳴りが問題になる場合がある。
【００３２】
図３は、本実施の形態のＬＥＤ駆動装置において音鳴り防止スイッチが設けられていない場合のアノードラインの電圧波形を示す図である。
【００３３】
アノードラインに接続された出力コンデンサＣ２の電位は調光信号に同期して図３に示す鋸歯状に類似した波形で変動する。すなわち、調光信号が３．３Ｖ時（オン時）はＬＥＤ駆動装置１が昇圧動作を行い、０Ｖ時（オフ時）は昇圧動作を停止する。昇圧動作停止時は出力コンデンサＣ２に蓄積された電荷によりアノードラインの昇圧電圧を保持しているが、抵抗Ｒ１、Ｒ２により出力コンデンサＣ２に蓄積された電荷が漏れアノードラインの電圧が低下する。このため、ＬＥＤ駆動装置を搭載した基板には上述の電圧変動による出力コンデンサＣ２の伸縮が伝播する。この基板の振動あるいは出力コンデンサＣ２の伸縮自体が音鳴りの発生原因となっている。図３では、１０直列ＬＥＤのしきい値電圧が３Ｖで０．５Ｖ電圧降下がある場合を示しているが、電圧降下の値は条件（抵抗Ｒ１，Ｒ２、調光信号の周波数、調光率）によって大きくなったり小さくなったりする。特に調光率（ＯＮ／ＯＦＦ比率）が１％程度になると電圧降下は大きく、アノード電圧は０．５Ｖ〜１Ｖ程度ドロップする。当然ながら、電圧降下の値が大きくなればなるほど、出力コンデンサＣ２の音鳴りは大きくなる。
【００３４】
続いて、第１の実施の形態のＬＥＤ駆動装置における音鳴り防止スイッチ２の構成と動作とについて詳細に説明する。
【００３５】
音鳴り防止スイッチ２は、上述の調光信号のオン／オフによるアノードラインの電圧変動を抑えてアノードラインに接続された出力コンデンサＣ２の音鳴りを防止するために設けられている。図１に示す音鳴り防止スイッチ２に設けられたスイッチＱ２は、アノードラインと抵抗Ｒ１，Ｒ２との間に設けられたＰｃｈ−ＦＥＴである。ＬＥＤが複数個ある場合、アノードラインの電圧は一般的に１０〜４０Ｖ程度になるので、調光信号の低電圧（一般的は３．３Ｖ程度）ではスイッチＱ２をオン／オフすることはできない。そこで、スイッチＱ３と抵抗Ｒ３で構成されたレベルシフタ回路で、スイッチＱ２を調光信号のオン／オフに同期してオン／オフする。抵抗Ｒ３は１ＭΩ程度が望ましい。
【００３６】
図４は、第１の実施の形態のＬＥＤ駆動装置における調光信号がオンレベルのときの音鳴り防止スイッチの動作を説明するための図である。
【００３７】
調光信号がオン（３．３Ｖ）の時は、図４に示すようにスイッチＱ３（Ｎｃｈ−ＦＥＴ）のゲート端子にはＨｉｇｈレベル（３．３Ｖ）が印加されてスイッチＱ３はオン状態となる。その結果、スイッチＱ２（Ｐｃｈ−ＦＥＴ）のゲート端子にはＬｏｗレベルが印加されてスイッチＱ２はオン状態になる。従って、アノードラインの電圧は抵抗Ｒ１，Ｒ２に印加されて、抵抗Ｒ１，Ｒ２の中間点からモニター電圧が出力される。モニター電圧はＬＥＤドライバーＩＣ１０の端子ＯＰＶを通してコンパレータ１４により規格値Ｖｏｖｐと比較される。モニター電圧が規格値Ｖｏｖｐより大きければ、過電圧保護回路１３によりスイッチ制御回路１１が制御されて昇圧動作が停止する。モニター電圧が規格値Ｖｏｖｐより小さければ、昇圧スイッチ用Ｑ１は通常通りオン／オフ動作を継続し、昇圧動作が継続する。
【００３８】
図５は、第１の実施の形態のＬＥＤ駆動装置における調光信号がオフレベルのときの音鳴り防止スイッチの動作を説明するための図である。
【００３９】
調光信号がオフ（０Ｖ）の時は、図５に示すようにスイッチＱ３（Ｎｃｈ−ＦＥＴ）のゲートにはＬｏｗレベルが印加されてスイッチＱ３はオフ状態となる。その結果、スイッチＱ２（Ｐｃｈ−ＦＥＴ）のゲート端子にはＨｉｇｈレベル（アノードラインと同電位）が印加されてスイッチＱ２はオフ状態となる。従って、アノードラインの電圧は抵抗Ｒ１，Ｒ２から切り離されるため、調光信号がオフで昇圧回路が停止していても抵抗Ｒ１、Ｒ２による出力コンデンサＣ２からの漏れ電流は流れず、電圧降下はほとんど無い。抵抗Ｒ１，Ｒ２がアノードラインから切り離されても、抵抗Ｒ２がＧＮＤに接続されているので、ＬＥＤドライバーＩＣ１０の端子ＯＶＰにはＧＮＤレベルが入力されるため、コンパレータ１４が過電圧を誤検出することはない。
【００４０】
以上説明したように、調光信号がオン／オフを繰り返しても、アノードラインの電圧はほとんど変化しないので、アノードラインに接続された出力コンデンサＣ２からの音鳴りの発生を防止することが可能となる。また、スイッチＱ２としてＰｃｈ−ＦＥＴを用いているので、スイッチＱ２がオン時（調光信号がオン時）にはゲート端子とソース端子間にアノードラインの高電圧（１０〜４０Ｖ）が印加されるため、スイッチＱ２のＯＮ抵抗はほとんど無視できる（ドレインーソース間電圧はほぼ０）。このため、抵抗Ｒ１とＲ２の設計においてスイッチＱ２の特性を考慮する必要はない。なお当然ながらＰｃｈ−ＦＥＴのドレインーソース間の耐圧は、アノードラインの電圧以上の高耐圧製品でなければならない。また、Ｐｃｈ−ＦＥＴのソース−ゲート間の耐圧もアノードラインの電圧以上の高耐圧製品でなければならないが、ダイオード等による電圧制限回路をソース−ゲート間に設けることによりソース−ゲート間の耐圧が低いＰｃｈ−ＦＥＴを使用することも可能である。
【００４１】
（第１の実施の形態のバリエーション１）  
図６は、第１の実施形態のＬＥＤ駆動装置のバリエーションの形態をＬＥＤと共に示す図である。
【００４２】
バリエーションの形態では、前述の第１の実施形態のＬＥＤ駆動装置においてＬＥＤドライバーＩＣ１０の外部に設けられていた音鳴り防止スイッチ２、即ちスイッチＱ２、並びにレベルシフタ３を構成するスイッチＱ３及び抵抗Ｒ３がＬＥＤドライバーＩＣ１０に内蔵されている。音鳴り防止スイッチ２がＬＥＤドライバーＩＣ１０に内蔵されたことで、ＬＥＤドライバーＩＣ１０にはアノードラインの入力端子ＡＩＮとスイッチＱ２の出力端子ＡＯＵＴが設けられている。
【００４３】
アノードラインの電圧は、ＬＥＤの直列数が多くなると高電圧（約４０Ｖ程度）になるのでＬＥＤドライバーＩＣ１０に内蔵されるスイッチＱ２やスイッチＱ３は高耐圧プロセスで作製する必要がある。また、抵抗Ｒ３は１ＭΩ程度が望ましいが精度はあまり要望されないので、ポリシリコン抵抗ではなく拡散抵抗で作製するのが面積的に望ましい。
【００４４】
本バリエーションの形態のＬＥＤ駆動装置の基本的な動作原理は第１の実施形態と同様である。音鳴り防止スイッチ２をＬＥＤドライバーＩＣ１０に内蔵することにより、ＬＥＤ駆動装置の構成を簡素化して出力コンデンサの音鳴りの発生を防止することができる。
【００４５】
（第１の実施の形態のバリエーション２）  
図７は、第１の実施形態のＬＥＤ駆動装置の他のバリエーションの形態をＬＥＤと共に示す図である。
【００４６】
他のバリエーションの形態では、前述の第１の実施形態のＬＥＤ駆動装置においてＬＥＤドライバーＩＣ１０の外部に設けられていた音鳴り防止スイッチ２、及び抵抗Ｒ１，Ｒ２がＬＥＤドライバーＩＣ１０に内蔵されている。このため、ＬＥＤ駆動装置の構成を更に簡素化して出力コンデンサの音鳴りの発生を防止することができるというメリットがある。
【００４７】
[第２の実施の形態]  
第２の実施の形態では、レベルシフタの構成が第１の実施の形態と異なっている。第１の実施の形態と同一及び同様の部位には同一の符号を付して、その詳細の説明は省略する。  
第１の実施の形態で用いられているスイッチＱ３と抵抗Ｒ３によるレベルシフタ３では、調光信号がオン（３．３Ｖ）の時に、スイッチＱ３がオンすることでアノードラインから抵抗Ｒ３（約１ＭΩ）に漏れ電流が流れるため、ＬＥＤの効率を損なうことになる。
【００４８】
図８は、第２の実施の形態のＬＥＤ駆動装置の構成をＬＥＤとともに示す図である。  
第２の実施の形態のＬＥＤ駆動装置では、たすき掛け方式のレベルシフタ３１を用いることにより、レベルシフタ３１での漏れ電流を防止し、効率を損なうことなく出力コンデンサＣ２の音鳴りの発生を防止することができる。
【００４９】
図８に示す音鳴り防止スイッチ２は、ＰチャネルＦＥＴのスイッチＱ２、及びたすき掛け方式のレベルシフタ３１を備えている。たすき掛け方式のレベルシフタ３１はＰチャネルＦＥＴのスイッチＱ３、ＮチャネルＦＥＴのスイッチＱ４、ＰチャネルＦＥＴのスイッチＱ５、ＮチャネルＦＥＴのスイッチＱ６、及びインバータＩＮＶで構成されている。
【００５０】
レベルシフタ３１の回路構成を説明する。ＰチャネルＦＥＴのスイッチＱ３とＰチャネルＦＥＴのスイッチＱ５とのゲート端子とドレイン端子をたすき掛けにして接続する。そして、スイッチＱ３のドレイン端子とソースを接地したスイッチＱ４のドレイン端子とを接続し、スイッチＱ５のドレイン端子とソースを接地したスイッチＱ６のドレイン端子とを接続しレベルシフタ３１の出力部としている。
【００５１】
レベルシフタ３１への入力信号である調光信号は２つに分岐され、分岐された入力信号の一方は、インバータＩＮＶによって反転されてスイッチＱ４のゲート端子に接続される。分岐された入力信号の他方は、スイッチＱ６のゲート端子に接続される。そして、スイッチＱ６のドレイン端子から出力信号が取り出される。  
そして、レベルシフタ３１のスイッチＱ３、Ｑ５のソース端子はアノードラインと接続し、レベルシフタ３１の出力部はスイッチＱ２のゲート端子と接続している。
【００５２】
図９は、第２の実施の形態のＬＥＤ駆動装置における調光信号がオンレベルのときの音鳴り防止スイッチの動作を説明するための図である。
【００５３】
調光信号がオン（３．３Ｖ）の時は、図９に示すようにスイッチＱ４（Ｎｃｈ−ＦＥＴ）のゲート端子にはＬｏｗレベル（０Ｖ）が印加されるためスイッチＱ４はオフ状態となる。スイッチＱ６（Ｎｃｈ−ＦＥＴ）のゲート端子にはＨｉｇｈレベル（３．３Ｖ）が印加されるためスイッチＱ６はオン状態となる。スイッチＱ６がオン状態のため、スイッチＱ３（Ｐｃｈ−ＦＥＴ）のゲート端子にはＬｏｗレベル（０Ｖ）が印加されスイッチＱ３はオン状態となる。スイッチＱ３がオン状態のため、スイッチＱ５（Ｐｃｈ−ＦＥＴ）のゲート端子にはＨｉｇｈレベル（アノードラインの電圧）が印加されスイッチＱ５はオフ状態となる。従って、スイッチＱ５がオフ状態、スイッチＱ６がオン状態となり、スイッチＱ２（Ｐｃｈ−ＦＥＴ）のゲート端子にはＬｏｗレベル（０Ｖ）が印加されスイッチＱ２はオン状態になる。
【００５４】
以上の結果、スイッチＱ２がオン状態なのでアノードラインの電圧は抵抗Ｒ１，Ｒ２に印加されて、抵抗Ｒ１，Ｒ２の中間点からモニター電圧が出力される。モニター電圧はＬＥＤドライバーＩＣ１０の端子ＯＰＶを通してコンパレータ１４により規格値Ｖｏｖｐと比較される。モニター電圧が規格値Ｖｏｖｐより大きければ、過電圧保護回路１３によりスイッチ制御回路１１が制御されて昇圧動作が停止する。モニター電圧が規格値Ｖｏｖｐより小さければ、昇圧スイッチ用Ｑ１は通常通りオン／オフ動作を継続し、昇圧動作が継続する。
【００５５】
たすき掛け方式のレベルシフタ回路では、調光信号がオンのときは、スイッチＱ３がオン状態、スイッチＱ４がオフ状態、スイッチＱ５がオフ状態、スイッチＱ６がオン状態となるので電流が流れるパスは存在しなくなる。すなわち、調光信号がオンのときは、レベルシフタ３１にアノードラインから漏れ電流が流れることなくスイッチＱ２をオンすることができる。
【００５６】
図１０は、第２の実施の形態のＬＥＤ駆動装置における調光信号がオフレベルのときの音鳴り防止スイッチの動作を説明するための図である。
【００５７】
調光信号がオフ（０Ｖ）の時は、図１０に示すようにスイッチＱ４（Ｎｃｈ−ＦＥＴ）のゲート端子にはＨｉｇｈレベル（３．３ｖ）が印加されるのでスイッチＱ４はオン状態となる。スイッチＱ６（Ｎｃｈ−ＦＥＴ）のゲート端子にはＬｏｗレベル（０Ｖ）が印加されるのでスイッチＱ６はオフ状態となる。スイッチＱ４がオン状態なので、スイッチＱ５（Ｐｃｈ−ＦＥＴ）のゲート端子にはＬｏｗレベル（０Ｖ）が印加されスイッチＱ５はオン状態となる。スイッチＱ５がオン状態なので、スイッチＱ３（Ｐｃｈ−ＦＥＴ）のゲート端子にはＨｉｇｈレベル（アノードラインの電圧）が印加されてスイッチＱ３はオフ状態となる。従って、スイッチＱ５がオン状態、スイッチＱ６がオフ状態なので、スイッチＱ２（Ｐｃｈ−ＦＥＴ）のゲート端子にはＨｉｇｈレベル（アノードラインの電圧）が印加されてスイッチＱ２はオフ状態となる。
【００５８】
以上の結果、スイッチＱ２がオフ状態なのでアノードラインの電圧は抵抗Ｒ１，Ｒ２から切り離され、調光信号がオフで昇圧動作が停止していても漏れ電流がなく、電圧降下はほとんど無い。抵抗Ｒ１，Ｒ２がアノードラインから切り離されても、抵抗Ｒ２がＧＮＤに接続されているので、ＬＥＤドライバーＩＣ１０の端子ＯＶＰにはＧＮＤレベルが入力されるため、コンパレータ１４が過電圧を誤検出することはない。
【００５９】
たすき掛け方式のレベルシフタ３１では、調光信号がオフのときは、スイッチＱ３がオフ状態、スイッチＱ４がオン状態、スイッチＱ５がオン状態、スイッチＱ６がオフ状態なので電流が流れるパスは存在しない。すなわち、調光信号がオフの場合、レベルシフタ３１内にはアノードラインから漏れ電流が流れることなくスイッチＱ２をオフ状態とすることができる。
【００６０】
以上の動作により、調光信号がオン／オフを繰り返しても、たすき掛け方式のレベルシフタ３１内には漏れ電流が流れることなく、アノードラインの電圧はほとんど変化しないので、ＬＥＤの効率を落とすことなく、アノードラインに接続された出力コンデンサＣ２からの音鳴りの発生を防止することが可能となる。
【００６１】
（第２の実施の形態のバリエーション１）  
図１１は、第２の実施形態のＬＥＤ駆動装置のバリエーションの形態をＬＥＤとともに示す図である。
【００６２】
バリエーションの形態では、前述の第２の実施形態のＬＥＤ駆動装置においてＬＥＤドライバーＩＣ１０の外部に設けられていた音鳴り防止スイッチ２、即ちスイッチＱ２、及びレベルシフタ３１がＬＥＤドライバーＩＣ１０に内蔵されている。なお、音鳴り防止スイッチ２がＬＥＤドライバーＩＣ１０に内蔵されたことで、ＬＥＤドライバーＩＣ１０にはアノードラインの入力端子ＡＩＮとスイッチＱ２の出力端子ＡＯＵＴが設けられている。
【００６３】
アノードラインの電圧は、ＬＥＤの直列数が多くなると高電圧（約４０Ｖ程度）になるのでＬＥＤドライバーＩＣ１０に内蔵されるスイッチＱ２，スイッチＱ３，スイッチＱ４，スイッチＱ５，スイッチＱ６は高耐圧プロセスで作製する必要がある。但し、インバータＩＮＶは調光信号（約３．３Ｖ）を反転させるだけなので低耐圧プロセスで作製される。
【００６４】
本バリエーションの形態のＬＥＤ駆動装置の基本的な動作原理は第２の実施形態と同様である。音鳴り防止スイッチ２をＬＥＤドライバーＩＣ１０に内蔵することにより、ＬＥＤ駆動装置の構成を簡素化して出力コンデンサの音鳴りの発生を防止することができる。
【００６５】
（第２の実施の形態のバリエーション２）  
図１２は、第２の実施形態のＬＥＤ駆動装置の他のバリエーションの形態をＬＥＤとともに示す図である。
【００６６】
他のバリエーションの形態では、前述の第２の実施形態のＬＥＤ駆動装置においてＬＥＤドライバーＩＣ１０の外部に設けられていた音鳴り防止スイッチ２、及び抵抗Ｒ１，Ｒ２がＬＥＤドライバーＩＣ１０に内蔵されている。このため、ＬＥＤ駆動装置の構成を更に簡素化して出力コンデンサの音鳴りの発生を防止することができるというメリットがある。
【００６７】
[第３の実施の形態]  
第３の実施の形態では、音鳴り防止スイッチの構成が第１の実施の形態と異なっている。第１の実施の形態と同一及び同様の部位には同一の符号を付して、その詳細の説明は省略する。
【００６８】
図１３は、第３の実施の形態のＬＥＤ駆動装置の構成をＬＥＤと共に示す図である。  
第３の実施の形態のＬＥＤ駆動装置では、音鳴り防止スイッチ２を抵抗Ｒ１と抵抗Ｒ２との中間に設けている。抵抗Ｒ１と抵抗Ｒ２との中間点の電位は、上述のようにＬＥＤドライバーＩＣ１０にモニター電圧を取り出すため、例えば１〜２Ｖの電位である。音鳴り防止スイッチ２のゲートには調光信号が供給される。調光信号が３．３Ｖ時にオンできるような閾値電圧ＶｔｈのＮｃｈ−ＦＥＴを使用することにより、第１、第２の実施の形態で用いられたような高電位にレベルを変換できる構成である必要がなくなる。このため、第３の実施の形態の音鳴り防止スイッチ２には、レベルシフタは設けられずＮｃｈ−ＦＥＴのスイッチＱＮ２のみで構成されている。
【００６９】
図１４Ａは、第３の実施の形態のＬＥＤ駆動装置のモニタ信号取出しライン上の電圧分布の一例を示す図である。  
図１４Ａにおいて、規格値Ｖｏｖｐをバンドギャップ回路で形成すると規格値Ｖｏｖｐの電圧は約１．２Ｖとなる。このときコンパレータ１４の出力が反転するモニター電圧は例えば１．２Ｖであり、調光信号は３．３Ｖである。この場合、音鳴り防止スイッチ２を構成するスイッチＱＮ２のソース−ゲート間の電位差Δは、２．１（＝３．３−１．２）Ｖとなる。このスイッチＱＮ２は閾値電圧Ｖｔｈが２．１Ｖ以下のものを使用する。閾値電圧Ｖｔｈが２．１Ｖ以下のスイッチＱＮ２を使用することでコンパレータ１４の切り替わり付近（モニタ電圧が１．２Ｖ付近）においても、スイッチＱＮ２はオンすることが可能となる。すなわち、アノードラインの電圧が、過電圧保護回路１３が動作しないような低い電圧のときで、調光信号の電圧が３．３Ｖの場合、スイッチＱＮ２のソース−ゲート間電圧は２．１Ｖ以上となり、スイッチＱＮ２はオン状態となる。スイッチＱＮ２のオン抵抗が抵抗Ｒ１、抵抗Ｒ２の値に比べて無視できるほど小さい場合は、モニター電圧はアノードラインの電圧を抵抗Ｒ１、Ｒ２により抵抗分割した値となる。誤動作等によりアノードラインの電圧が上昇していき、モニター電圧が１．２Ｖ以上になると過電圧保護回路１３により昇圧スイッチＱ１がオフとなり、アノードラインはそれ以上電圧上昇をすることができなくなり、モニタ電圧は１．２Ｖ以上にはならない。その結果、スイッチＱＮ２のソース−ゲート間電圧は約２．１Ｖ以上を保持しスイッチＱＮ２はオン状態を維持する。調光信号が０Ｖ時は、スイッチＱＮ２はオフとなり、アノードラインから抵抗Ｒ１、Ｒ２を介して流れる電流はなくなり、出力コンデンサＣ２により保持された電圧を維持する。尚、スイッチＱＮ２のドレイン耐圧はアノードラインの最大電圧以上とする必要があるが、ソース−ゲート間の電圧は調光信号のオン電圧である３．３Ｖ以上にならないため、ソース−ゲート間耐圧が調光信号の最大電圧値を満足できるものであれば数Ｖ程度の低耐圧系のＮｃｈ−ＭＯＳトランジスタを使用できる。従って、抵抗Ｒ１、Ｒ２の値に対して無視することができるような小さなオン抵抗のＮｃｈ−ＭＯＳトランジスタを使用することができる。尚、上記説明においては、モニター電圧が１．２Ｖの場合を説明したが、モニター電圧が２Ｖの場合は、閾値電圧＝３．３Ｖ−２Ｖ＝１．３Ｖ以下のものをスイッチＱＮ２として使用すればよい。  
また、スイッチＱＮ２としてそのオン抵抗が無視できないようなＮｃｈ−ＦＥＴを使用する場合は、図１４Ｂに示したような特性曲線を用いて抵抗Ｒ１及びＲ２の値を設定する。例えば、モニタ電圧が１．２Ｖの場合、スイッチＱＮ２のＶｇｓは図１４Ｂのような曲線となる。ここで、抵抗Ｒ１、Ｒ２、スイッチＱＮ２に流れる電流Ｉｄ１は等しいため、Ｉｄ１＝１．２Ｖ／Ｒ２となる。このとき、スイッチＱＮ２の曲線と抵抗Ｒ１の負荷曲線が交差する点の電流がＩｄ１＝１．２Ｖ／Ｒ２となるように抵抗Ｒ１とＲ２の値を決めればよい。
【００７０】
以上説明したように抵抗Ｒ１と抵抗Ｒ２の間に音鳴り防止スイッチ２としてＮｃｈ−ＦＥＴのスイッチＱＮ２を入れることで、レベルシフタを不要とすることができる。但し、Ｎｃｈ−ＦＥＴのＯＮ抵抗を無視できないようなＮｃｈ−ＭＯＳトランジスタも存在するため、トランジスタの特性曲線及びばらつきを十分考慮して過電圧保護回路１３が誤動作しないように回路設計を行う必要がある。
【００７１】
（第３の実施の形態のバリエーション１）  
図１５は、第３の実施形態のＬＥＤ駆動装置のバリエーションの形態をＬＥＤとともに示す図である。
【００７２】
バリエーションの形態では、前述の第３の実施形態のＬＥＤ駆動装置においてＬＥＤドライバーＩＣ１０の外部に設けられていた音鳴り防止スイッチ２、即ちスイッチＱＮ２がＬＥＤドライバーＩＣ１０に内蔵されている。音鳴り防止スイッチ２がＬＥＤドライバーＩＣ１０に内蔵されたことで、ＬＥＤドライバーＩＣ１０にはモニタ信号取出しラインの入力端子ＭＩＮとスイッチＱＮ２の出力端子ＭＯＵＴが設けられている。
【００７３】
小電流タイプのＮｃｈ−ＭＯＳトランジスタが入手困難な場合には、Ｎｃｈ−ＭＯＳトランジスタをＩＣ内部に内蔵して、ＩＣ内で小電流タイプのＮｃｈ−ＭＯＳトランジスタを作成することが可能である。
【００７４】
本バリエーションの形態のＬＥＤ駆動装置の基本的な動作原理は第３の実施形態と同様である。音鳴り防止スイッチ２をＬＥＤドライバーＩＣ１０に内蔵することにより、ＬＥＤ駆動装置の構成を簡素化して出力コンデンサの音鳴りの発生を防止することができる。
【００７５】
（第３の実施の形態のバリエーション２）  
図１６は、第３の実施形態のＬＥＤ駆動装置の他のバリエーションの形態をＬＥＤとともに示す図である。
【００７６】
他のバリエーションの形態では、前述の第３の実施形態のＬＥＤ駆動装置においてＬＥＤドライバーＩＣ１０の外部に設けられていた音鳴り防止スイッチ２、及び抵抗Ｒ１，Ｒ２がＬＥＤドライバーＩＣ１０に内蔵されている。このため、ＬＥＤ駆動装置の構成を更に簡素化して出力コンデンサの音鳴りの発生を防止することができるというメリットがある。
【００７７】
以上、モニター電圧取出ライン５に音鳴り防止スイッチ２を設け、その音鳴り防止スイッチ２を調光信号で制御することにより、モニター電圧取出ライン中のＯＶＰ（過電圧保護）設定用抵抗Ｒ１、Ｒ２からの漏れ電流を抑制して出力コンデンサＣ２の電圧変動を抑えることが可能となって音鳴りの発生を防止することができる。音鳴り防止スイッチ２はアノードラインとＯＶＰ設定用抵抗Ｒ１、Ｒ２の間、もしくは２つのＯＶＰ設定用抵抗Ｒ１、Ｒ２の中間に設けることができる。音鳴り防止スイッチ２をアノードラインとＯＶＰ設定用抵抗Ｒ１、Ｒ２の間に設ける場合は、Ｐｃｈ−ＦＥＴのスイッチを使用し更にレベルシフタが必要になる。音鳴り防止スイッチを２つのＯＶＰ設定用抵抗Ｒ１、Ｒ２の間に設ける場合は、Ｎｃｈ−ＦＥＴのスイッチを使用しレベルシフタは必要とされない。
【００７８】
いずれの場合も音鳴り防止スイッチ２をＬＥＤドライバーＩＣ１０に内蔵することにより、余分な外付け回路を無くして出力コンデンサＣ２の音鳴りの発生を防止することができ、その実用的効果は大きい。更に内蔵するレベルシフタをたすき掛け方式にすることにより、レベルシフタ内に流れる漏れ電流を抑制できるので、ＬＥＤの効率を落とすことなく出力コンデンサＣ２の音鳴りの発生を防止することができ、その実用的効果は大きい。なお本発明では、レベルシフタに加えてＯＶＰ設定用抵抗Ｒ１，Ｒ２をＬＥＤドライバーＩＣ１０に内蔵して構成することもできる。
【００７９】
本発明の実施の形態として上述した表示装置を基にして、当業者が適宜設計変更して実施し得る全ての表示装置も、本発明の要旨を包含する限り、本発明の範囲に属する。
【００８０】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００８１】
また、本実施形態において述べた態様によりもたらされる他の作用効果について本明細書記載から明らかなもの、又は当業者において適宜想到し得るものについては、当然に本発明によりもたらされるものと解される。
【００８２】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８３】
Ｌ１…コイル、Ｄ１…ダイオード、Ｑ１…昇圧スイッチ、Ｃ２…出力コンデンサ、Ｒ１…抵抗、Ｒ２…抵抗、Ｑ２…スイッチ、Ｑ３…スイッチ、Ｒ３…抵抗、Ｖｏｖｐ…規格値、Ｑ４…スイッチ、Ｑ５…スイッチ、Ｑ６…スイッチ、ＩＮＶ…インバータ、ＱＮ２…スイッチ、１…ＬＥＤ駆動装置、２…音鳴り防止スイッチ、３…レベルシフタ、５…モニター電圧取出ライン、１０…ＬＥＤドライバーＩＣ、１１…スイッチ制御回路、１２…ＬＥＤ電流制御回路、１３…過電圧保護回路、１４…コンパレータ、３１…レベルシフタ。
【図１】
2016129098.tif 000003
【図２】
2016129098.tif 000004
【図３】
2016129098.tif 000005
【図４】
2016129098.tif 000006
【図５】
2016129098.tif 000007
【図６】
2016129098.tif 000008
【図７】
2016129098.tif 000009
【図８】
2016129098.tif 000010
【図９】
2016129098.tif 000011
【図１０】
2016129098.tif 000012
【図１１】
2016129098.tif 000013
【図１２】
2016129098.tif 000014
【図１３】
2016129098.tif 000015
【図１４Ａ】
2016129098.tif 000016
【図１４Ｂ】
2016129098.tif 000017
【図１５】
2016129098.tif 000018
【図１６】
2016129098.tif 000019